(57)【要約】【課題】液晶ディスプレイ及びその製造方法、修復方法を提供する。【解決手段】該液晶ディスプレイは、第1の平面に位置するデータ信号ラインと、第2の平面に位置する公共電極ラインと、を備え、前記公共電極ラインは交差領域を含み、前記交差領域の第1の平面における投影とデータ信号ライン上の1つの領域と重なり、前記交差領域に複数の細公共電極ラインが設置される。【選択図】図５
2008268860.tif 000002
【特許請求の範囲】
【請求項１】
第1の平面に位置するデータ信号ラインと、第2の平面に位置する公共電極ラインと、を備え、
前記公共電極ラインは交差領域を含み、前記交差領域の第1の平面における投影とデータ信号ライン上の1つの領域と重なり、前記交差領域に複数の細公共電極ラインが設置されたことを特徴とする液晶ディスプレイ。
【請求項２】
前記複数の細公共電極ラインの幅が均一であることを特徴とする請求項１に記載の液晶ディスプレイ。
【請求項３】
前記複数の細公共電極ラインの長さが同じであることを特徴とする請求項１に記載の液晶ディスプレイ。
【請求項４】
前記複数の細公共電極ラインの長さがデータ信号ラインの幅よりも大きいことを特徴とする請求項１に記載の液晶ディスプレイ。
【請求項５】
前記複数の細公共電極ラインの長さとデータ信号ラインの幅とは同じであることを特徴とする請求項１に記載の液晶ディスプレイ。
【請求項６】
前記複数の細公共電極ラインはスリット（slit）構造を呈することを特徴とする請求項１に記載の液晶ディスプレイ。
【請求項７】
第1の平面に位置するデータ信号ラインと、第2の平面に位置する公共電極ラインと、を備え、
前記公共電極ラインは交差領域を含み、前記交差領域の第1の平面における投影とデータ信号ライン上の1つの領域と重なる液晶ディスプレイの製造方法であって、
公共電極ラインを形成する工程において、前記公共電極ラインの交差領域に複数の細公共電極ラインを形成することを特徴とする液晶ディスプレイの製造方法。
【請求項８】
前記複数の細公共電極ラインの幅が均一であることを特徴とする請求項７に記載の製造方法。
【請求項９】
前記複数の細公共電極ラインの長さが同じであることを特徴とする請求項7に記載の製造方法。
【請求項１０】
前記複数の細公共電極ラインの長さとデータ信号ラインの幅とは同じであることを特徴とする請求項7に記載の製造方法。
【請求項１１】
前記複数の細公共電極ラインの長さがデータ信号ラインの幅よりも大きいことを特徴とする請求項7に記載の製造方法。
【請求項１２】
前記複数の細公共電極ラインはスリット構造を呈することを特徴とする請求項7に記載の製造方法。
【請求項１３】
第1の平面に位置するデータ信号ラインと、第2の平面に位置する公共電極ラインと、を備え、
前記公共電極ラインは交差領域を含み、前記交差領域の第1の平面における投影とデータ信号ライン上の1つの領域と重なり、前記交差領域に複数の公共電極ラインが設置された液晶ディスプレイの修復方法であって、
前記交差領域で静電気ブレークダウンが発生する時、ブレークダウンされた細公共電極ラインを切断することを特徴とする液晶ディスプレイの修復方法。
【請求項１４】
レーザーによってブレークダウンされた細公共電極ラインを切断することを特徴とする請求項13に記載の修復方法。
【発明の詳細な説明】
【技術分野】
【０００１】
本発明は、液晶ディスプレイ（LCD）及びその製造方法、修復方法に関し、特に、静電気を防止する回路を有する液晶ディスプレイ及びその製造方法、修復方法に関する。
【背景技術】
【０００２】
従来、薄膜トランジスター液晶ディスプレイ（TFT―LCD）分野の大量生産において、基板運送、設備の接触及び操作者の接触等の原因で、静電気（ES）の発生が可能になり、静電気電圧が生じる。静電気電圧は短時間内にディスプレイスクリーン内部の活性領域デバイスの仕事能力より随分大きな電流を放出することもあり、即ち外部静電力は、データ信号ラインを介してディスプレイ内部の薄膜トランジスタ（TFT）デバイスに転送され、ブレークダウンを引き起こす。従来のように配線を設計する時、TFTアレイ基板において、データ信号ラインと公共電極ラインは異なる平面の異なる層に位置し、２層の間に絶縁層がある。便利上、以下は公共電極ライン上、次の要件を満たした領域を交差領域と称する。即ち、該交差領域は、データ信号ラインが所在する平面における公共電極ラインの投影と、データ信号ライン上の1つの領域と重なる部分ある。基板運送、設備の接触及び操作者の接触等の原因で生じた静電気電圧は、直接データ信号ラインと公共電極ラインの交差領域の間に短絡を引き起こし、その間の絶縁層をブレークダウンして輝線を形成することもあり、それによって、不良品、又は劣等品が作り出される。
【０００３】
生産工程に現れる静電気による損傷を防止するために、通常は、従来より公知の静電気保護輪設計を採用するが、図1に示すように、設計中、データ信号ライン1と公共電極ライン2（電流放出ライン回路と称してもよい）との交差領域3の出現が避けられず、クロス面積が現れる。このクロス面積は約200〜400μm2である。処理工程において静電気電
圧が現れ、ブレークダウンを引き起こすこともある。
【０００４】
実際の生産において、静電気放電（ESD）ブレークダウンに対して、通常採用された修復方式は、ブレークダウンされたその公共電極ラインを直接切断することである。図3に示すように、中間交差領域3がブレークダウンされた時に静電気ブレークダウンポイント5が生じ、修復時にブレークダウンされた部分の公共電極ラインを切断する方法を採用する。図3は従来の修復時に採用される切断方法を示し、ブレークダウンされた領域、図3において切断部位4を切断し、このように切断された後、短絡が回避される。従来の修復方法はブレークダウン回路に対して修復したが、公共電極ラインも電流放出ルートであるため、公共電極ラインが切断された後、静電気発生時の放出ルートが短縮され、例えば画面点滅等の問題が現れることもある。更に、続く処理において、放出ルートの短い位置は電位の弱いところになり、静電気を速く放出できないことがより起こりやすくなり、同様にブレークダウンの再度発生も可能である。
【発明の開示】
【発明が解決しようとする課題】
【０００５】
静電気ブレークダウンが起こりやすい、及びブレークダウン修復後、公共電極が開回路となり、後続画面の品質に比較的に大きな影響を与えるという従来の液晶ディスプレイの欠陥に対して、本発明の実施例は静電気ブレークダウンの発生確率を低下させ、更にブレークダウン後、数回の修復を実現でき、修復後、後続画面の品質に対する影響を低下できる静電気回路設計を施す液晶ディスプレイを提供する。本発明の実施例はまた液晶ディスプレイの製造及び修復方法を提供する。液晶ディスプレイは、例えば薄膜トランジスタ液晶ディスプレイ（TFT−LCD）である。
【０００６】
本発明の第1の方面において、第1の平面に位置するデータ信号ラインと、第2の平面に位置する公共電極ラインと、を備える液晶ディスプレイが提供された。該公共電極ラインは第1の平面における公共電極ラインの投影とデータ信号ライン上の1つの領域との重なる交差領域を含み、前記交差領域に、複数の細公共電極ラインが設置された。
【０００７】
前記交差領域の複数の細公共電極ラインの幅は均一であることが望ましい。
複数の細公共電極ラインの長さは同じであることが望ましい。
複数の細公共電極ラインの長さは、データ信号ラインの幅と同じであってもよく、データ信号ラインの幅よりも大きくしてもよいことが望ましい。
【０００８】
複数の細公共電極ラインはスリット構造を呈することが望ましい。
従来の液晶ディスプレイにおいて、1本の公共電極ラインは交差領域でデータ信号ラインと交差し、且つ交差領域以外の部分と一体設計されるが、本発明実施例の液晶ディスプレイにおいて、交差領域に複数の細公共電極ラインが設置される。生産工程において、ESDブレークダウンの発生部位のほとんどが、データ信号ラインと公共電極ライン（電流放出ラインとも称する）の交差領域にある。
【０００９】
本発明の第2の方面において、前記液晶ディスプレイの製造方法が提供された。該液晶ディスプレイの製造時、公共電極ラインを形成する工程において、公共電極ラインの交差領域に複数の細公共電極ラインが形成される。
【００１０】
スリット構造を形成し、さらに、これによって複数の細公共電極ラインを形成することが望ましい。
本発明の第3の方面において、前記液晶ディスプレイの修復方法が提供された。公共電極の前記交差領域で静電気ブレークダウンが発生する時、ブレークダウンされた細公共電極ラインを切断する。
【００１１】
レーザーによってブレークダウンされた細公共電極ラインを切断することが望ましい。
本発明実施例において、交差領域に複数の細公共電極ラインを形成する。即ち、1本の公共電極ラインを複数の細ラインに分け、例えば1つ乃至複数のスリット形状を形成する構造を設計するのは、下記の有益な効果を果たす。即ち、
1、交差領域の面積を減少でき、ひいて、ESEブレークダウンの確率を効果的に低下できる。
【００１２】
2、交差領域におけるある細公共電極ラインに静電気ブレークダウンが発生する時、該ブレークダウンされた細公共電極ラインだけを切断してもよく、他のブレークダウンされていない、且つ並列の細公共電極ラインは依然として電流放出回路を構成でき、静電気が発生する放出ルートを短縮することなく、公共電極ラインを完全に遮断しない状態で数回の修復が実現できる。
【００１３】
3、修復時、公共電極ラインを徹底的に遮断しないため、依然として電流放出回路を構成でき、切断された部分の電位のバラツキが現れず、静電気が元の公共電極ラインに沿って放出でき、後続処理工程の静電気に対する保護に寄与できる同時に、後続画面の品質に対する影響を効果的に減少できる。
【００１４】
4、前記構造設計は交差領域部分のクロス面積を減少し、データ信号ラインの誘導コンデンサを相応に減少したため、データ信号ラインに対する遅延の影響を減少した。
【発明を実施するための最良の形態】
【００１５】
添付図を参照しながら本発明の例示的な実施例を説明する。しかし、本発明は異なる形式で実現でき、ここで説明する実施例に限られると解釈してはならない。本文において、素子又は層が、他の素子又は層上にある、或いは他の素子又は層に連結すると言及する場合、該素子又は層は他の素子又は層に直接位置し、他の素子又は層に直接連結しても良く、中間の素子又は層が介在しても良い。便利上、本発明において、関連技術における部材と同じ部材を同じの参照符号で示す。
【００１６】
一般に、例えば、TFT−LCDの液晶ディスプレイが通用の半導体処理により実現される。図4に示すように、静電気保護回路7（静電気短路環とも称する）が、2つのTFTの突合せ接合によって形成され、その中、1つのTFTのゲート電極とソース電極は短絡状態でデータ信号ライン1と接続し、ドレイン電極は公共電極ライン2と接続し、もう1つのTFTのゲート電極とソース電極は短絡状態で公共電極ライン2と接続し、ドレイン電極はとデータ信号ライン1と接続し、静電気放出回路を形成する。データ信号ライン1に正高圧が導入される時に、第1のTFTが作動し、電流が公共電極回路に放出され、図4のbに示された電流が形成される。データ信号ライン1に負高圧が導入される時、第2のTFTが作動し、同様に、電流が公共電極回路2からデータ信号ライン1に放出され、図4のaに示された電流が形成される。
【００１７】
本発明は多種の異なる形式の具体的実施方式を有してもよい。添付図を参照しながら本発明の実施方式に対して例を挙げて説明するが、本発明は、これらの実施例に限られていることがない。当業者にとって、以下のことを分かるべきである。即ち、下記により提供される具体的実施方案は、多種の構造におけるいくつかの例であり、その他の前記交差領域に複数の細公共電極ラインを設置する実施形態は依然として本発明の特許請求の範囲に含まれる。
【００１８】
図5は本発明の実施例1の構造の概略図である。図5に示すように、本実施例1のTFT−LCDのアレイ基板は、第1の平面に位置するデータ信号ライン1と、第2の平面に位置する公共電極ライン2と、を備える。公共電極ライン2は、第1の平面における公共電極ライン2の投影とデータ信号ライン上の1つの領域と重なる交差領域を含み、更に前記交差領域において、公共電極ライン2は複数（例えば4本）の並列の細公共電極ライン6により構成され、スリット構造を形成する。
【００１９】
本実施例において、データ信号ライン1と静電気放電デバイス7とは接続する。静電気放電回路において（図4に示すように）、一般的には、2つの同様なTFTが突合せて接合する。1端に高電圧が導入される時、静電気放電回路における2つの同様な突合せて接合するTFTの中の1つが開き、通路に形成する。高電圧は静電気放電デバイス7を介して隣接のデータ信号ラインに放出され、最終公共電極により液晶ディスプレイ全体の活性領域に前記高電圧を分担させ、パネル全体に等電位を形成する。生じた大電流は1本のデータ信号ラインに集中しないため、TFTに対する損害が発生ない。同様に、パネル内部で生じた高電圧は同じ方法で外部回路部分に放出される。具体的なデータ電極と公共電極は当業者の公知常識であるため、ここで詳細に説明しない。静電気放電設計について、静電気放電デバイス7は、所定の電圧閾値を有する恒圧ダイオードであってもよく、正常な信号が導入される時、信号が必要以上導通されて公共電極ラインに入ることがないため、信号の損失が発生しない。
【００２０】
図5に示すように、本実施例1において、複数の並列細公共電極ライン6の幅が均一であり、且つ長さも同じである。本実施例1において、交差領域のクロス面積を減少したため、データ信号ラインの誘導コンデンサ容量も相応に減少された。データ信号ラインの遅延時間はコンデンサ容量と正比例をなすので、データ信号ライン遅延に対する影響も低下された。
【００２１】
図5は本発明に適用された構造の1つの具体的実施例方式しか示していない。本実施例は概略的であり、本発明の特許請求の範囲を制限するものではない。当業者にとって、以下のこと明らかである。即ち、工程設計の能力により本実施例における複数の公共電極ライン6の幅及び長さを調整してもよい。例えば、図6に示すように、複数の細公共電極ライン6の長さをデータ信号ライン1の幅よりも大きくするように調整し、又はその他の部分まで延長してもよい。該複数の細公共電極ライン6の長さは、データ信号ライン１の幅と同一してもよく。該複数の細公共電極ライン6の幅は相互に異なってもよい。
【００２２】
前記実施例から分かるように、本発明は前記交差領域3に複数の細公共電極ラインを設置し、交差領域を複数の細公共電極ラインに分け、他の部分と比べてスリット構造に形成するものであり、従来技術における交差領域に1本の公共電極ラインを設置し、且つ交差領域以外の部分と一体的に設計するものではない。勿論、本発明の精神を逸脱しない範囲内に、複数の細公共電極ラインの形状又は幅に対して、調整又は変形してもよい。
【００２３】
図7は本発明の静電気ブレークダウン修復時の構造の概略図である。図7に示すように、複数の並列する細公共電極ライン6において、例えば第1と第4の細公共電極ライン6は静電気放電によりブレークダウンされる。図7に示すような静電気ブレークダウンポイント９が現れる。修復時、ブレークダウンされた第1と第4の細公共電極ライン6だけを、例えばレーザーにより切断すればよく、他の細公共電極ライン6は依然として導通状態を保持し、切断位置は、図7において符号8により示される。従来の修復方法と異なり、本発明は不完全切断方法を採用し、交差領域において、ある細公共電極ラインに静電気ブレークダウンが発生する時、該ブレークダウンされた細公共電極ラインだけを遮断してもよく、他のブレークダウンされていなく、且つ並列する細公共電極ラインは依然として電流放出回路を構成できる。このように、静電気が発生する放出ルートを短縮することなく、公共電極ラインを完全に遮断しない状態で数回の修復が実現できる。更に、修復時、公共電極ラインを徹底的に遮断していないため、依然として電流放出回路を構成し、切断された部分に電位のバラツキが現れず、静電気が元の公共電極ラインに沿って放出でき、後続処理工程における静電気防止能力に影響を与えない同時に、後続画面の品質に対する影響を効果的に減少できる。
【００２４】
本発明の望ましい実施例において、TFT−LCDのTFTアレイ基板を形成する工程において、公共電極ラインを形成する工程において、例えば導電層の堆積、露光、エッチング等の処理により公共電極を形成し、且つその同時に該堆積、露光、エッチング等の処理により、該公共電極とデータ信号ラインとの交差領域に例えばスリット構造を形成し、これによって、複数の細公共電極ラインを形成する。例えば、図5に示すように、公共電極ラインに平行して延在する複数（例えば３つ）のスリットを形成することにより、複数（例えば4本）の細公共電極ラインを形成する。
【００２５】
上記は本発明に対するいくつかの例だけであり、当業者にとって以下のことが明らかである。即ち、様々な需要に応じて、多くの形式の実施例があってもよい。交差領域に設置される複数の公共電極ラインが設置される構造であれば、本発明の範囲内である。
【００２６】
以上説明したように、本発明は、従来の公共電極ラインの交差領域に複数の細公共電極ラインを設置し、1つ又は複数のスリット形状の構造を設計するのは、以下の有益な効果を果たす。即ち、
1、交差領域の面積を減少でき、ESEブレークダウンの確率を効果的に低下できる。
【００２７】
2、交差領域において、ある細公共電極ラインに静電気ブレークダウンが発生する時、該ブレークダウンされた細公共電極ラインだけを切断してもよく、他のブレークダウンされていなく、且つ並列する細公共電極ラインは依然として電流放出回路を構成でき、静電気が発生する放出ルートを短縮することなく、公共電極ラインを完全に遮断しない状態で数回の修復が実現できる。
【００２８】
3、修復時、公共電極ラインを徹底的に遮断していないため、依然として電流放出回路を構成でき、切断された部分の電位のバラツキが現れず、静電気が元の公共電極ラインに沿って放出でき、後続処理工程の静電気に対する保護に寄与できる同時に、後続画面の品質に対する影響を効果的に減少できる。
【００２９】
4、前記構造設計は交差領域部分のクロス面積を減少し、データ信号ラインの誘導コンデンサを相応に減少したため、データ信号ラインに対する遅延の影響を減少した。
上記実施例は本発明の技術案を説明するものであり、限定するものではない。最良な実施形態を参照して本発明を詳細に説明したが、当業者にとって、必要に応じて異なる材料や設備などをもって本発明を実現できる。即ち、その精神を逸脱しない範囲内において種種の形態で実施しえるものである。
【００３０】
本願は2007年4月17日に中国国家知識産権局に提出した第200710065589.3号特許出願の優先権を主張し、前記出願の全ての内容をここで援用した。
【図面の簡単な説明】
【００３１】
【図１】従来の静電気防止の保護回路の概略図1である。
【図２】従来の静電気防止の保護回路の概略図2である。
【図３】従来の静電気防止の保護回路の修復概略図1である。
【図４】静電気防止用保護回路の作動原理を説明する概略図である。
【図５】本発明の実施例1に係る構造の概略図である。
【図６】本発明の実施例2に係る構造の概略図である。
【図７】本発明の静電気ブレークダウン修復時の構造の概略図である。
【符号の説明】
【００３２】
1：データ信号ライン
2：公共電極ライン
3：交差領域
4：切断部位
5：静電気ブレークダウンポイント
6：細公共電極ライン
7：静電気放電ダブルTFTデバイス
8：切断部位
9：静電気ブレークダウンポイント
a：静電気発生時の電流放出ルート
b：静電気発生時の電流放出ルート
【図１】
2008268860.tif 000003
【図２】
2008268860.tif 000004
【図３】
2008268860.tif 000005
【図４】
2008268860.tif 000006
【図５】
2008268860.tif 000007
【図６】
2008268860.tif 000008
【図７】
2008268860.tif 000009